【手続補正書】
【提出日】平成15年7月24日(2003.7.24)
【手続補正１】
【補正対象書類名】明細書
【補正対象項目名】全文
【補正方法】変更
【補正の内容】
【発明の名称】硬貨処理機
【特許請求の範囲】
【請求項１】複数枚の単一金種または混合金種の入金硬貨を識別部で識別し、この識別結果に基づいて収納部に収納許容または収納制限する硬貨処理機であって、
硬貨入金時、前記識別部で入金硬貨の金種を識別し、その識別した各金種毎の体積に相当する演算結果から前記収納部に収納可能な収納限度体積を算出し、この算出結果に基づいて前記入金硬貨に対する収納可否を判断することを特徴とする硬貨処理機。
【請求項２】前記収納限度体積は最大体積の金種硬貨を基準に他金種の体積比率を設定し、前記入金硬貨の識別時に識別された金種ごとの体積比率を加算しながら収納部が収納しうる限界に達した収納限度容量であることを特徴とする請求項１記載の硬貨処理機
【発明の詳細な説明】
【０００１】
【発明の属する技術分野】
この発明は、例えば自動預金支払機（ＡＴＭ）に内蔵されるような硬貨処理機に関し、さらに詳しくは投入される金種別硬貨の体積を基準にして多数枚の硬貨を定められた収納部に効率よく収納処理する硬貨処理機に関する。
【０００２】
【従来の技術】
一般に、この種の硬貨処理機は国内で流通利用されている１円、５円、１０円、５０円、１００円、５００円玉硬貨の全金種あるいは特定金種を取扱い許容している。
【０００３】
この場合、多数枚の硬貨を受付ける際は、図５のフローチャートに示すように、例えば硬貨の入金取引時に入出金口に多数枚の硬貨が一括して投入されると、これより入金された硬貨を１枚ずつ分離して識別部に導いた後、ここで真偽および金種を判定し（ステップｎ11）、
真硬貨と識別した場合は受付け許容して取込み、受付けた真硬貨の合計枚数を計数する（ステップｎ12）。
【０００４】
このとき、受付けた硬貨のうち、最大寸法であり、体積が最大である金種が一番体積が嵩張るので、現状では最大寸法であり、体積が最大である５００円玉を収納したときの収納限度枚数を予め設定しておき、この収納限度枚数に達したときに受付け制限している。例えば、入金経路上の一時保留部の収納限度枚数を１００枚に設定しているときは、金種に制限がなく、入金硬貨の合計枚数が１００枚まで一時保留許容し、これ以上の一時保留は制限している（ステップｎ13）。
【０００５】
受付けた入金硬貨は一時保留部に導いて一時保留した後、一時保留された入金硬貨を金種別収納部に分配収納している（ステップｎ14）。
【０００６】
入金硬貨を全て収納して計数完了した時点で、この入金硬貨の一入金取引が終了する（ステップｎ15）。
【０００７】
ところで、入金硬貨を識別したときに偽硬貨または識別不良硬貨と識別したときは、その不適な入金硬貨を入出金口に返却する。また、識別部で１００枚以上の一時保留枚数になると識別したときは、１００枚を超える超過分の入金硬貨を入出金口に返却して待機させ、一時保留部からの取込み処理を完了させた後に、再度、超過分の入金硬貨の入金処理を行い、１００枚ずつ何度も分けて入金処理している（ステップｎ16）。
【０００８】
【発明が解決しようとする課題】
しかし、この場合の一時保留部の収納限度枚数は一律に「１００枚」と設定しているため、小寸法であり、体積が最小である金種硬貨が入金されたときは最大寸法であり、体積が最大である金種硬貨の収納空間に比べて、収納空間に余裕が生じる。よって、未だ多くの入金硬貨の収納が可能であるにも拘らず、これらのことは考慮されず、予め定められた収納限度枚数を基準に入金処理しているため、小寸法であり、体積が最小である硬貨に対しての受入れ機能が十分に有効利用されない問題を有していた。
【０００９】
そこでこの発明は、流通利用されている各種硬貨の体積が金種毎に異なることに着目し、その異なる金種別硬貨の合計体積が、収納部の収納限度体積を超えるまで受入れ許容するようにチェックすることにより、収納部に対する硬貨の収納性能を高めた硬貨処理機の提供を目的とする。
【００１０】
【課題を解決するための手段】
この発明は、入金された複数枚の単一金種または混合金種の入金硬貨を識別部に導いて識別し、この識別結果に基づいて入金硬貨を収納部に収納許容するか、または収納制限するかを決める際、前記識別部で入金硬貨の金種を識別し、その識別した各金種毎の体積に相当する演算結果から前記収納部に収納可能な収納限度体積を算出し、この算出結果に基づいて前記入金硬貨に対する収納可否を判断することを特徴とする。
【００１１】
この結果、収納部が収納限度空間になるまで入金硬貨を収納許容して限界まで収納できるため、収納部の内部空間を最大限有効利用でき、収納限度に無駄がなくなる。このため、収納部は多数枚の硬貨を限界まで効率よく受入れることができる。
【００１２】
また、収納部の収納限度となる収納体積と各種硬貨の金種別体積が予め分かっているため、これらの体積を計算しながら受入れ管理するため、単一金種であっても混合金種であっても正確に収納許容枚数を算出して受入れることができ、さらに既存の収納部に対する体積変化値をチェックするだけのため、構造を改造する必要がなく、現状の装置をそのまま有効利用することができる。
【００１３】
また別の発明では、前記収納限度体積を、最大体積の金種硬貨を基準に他金種の体積比率を設定し、前記入金硬貨の識別時に識別された金種ごとの体積比率を加算しながら収納部が収納しうる限界に達した収納限度容量とすることを特徴とする。
【００１４】
例えば、取扱い対象金種のうち、最大体積の金種硬貨（５００円玉）を基準に他金種の体積比率を設定し、入金硬貨の識別時に識別された金種毎の体積比率を加算しながら収納限度体積になるまで受入れ許容し、収納限度体積に達したとき入金硬貨の収納を制限すればよい。
【００１５】
このように、収納部の受入れ空間を最大限利用して受付け枚数が増加することから、商店での売上金のように数百枚といった多数枚の硬貨を入金するときに入金回数を減らすことができ、また取引時間を短縮して顧客の負担を減らすことができる。
【００１６】
ここで、硬貨処理機とはＡＴＭ、精算機、券売機等の硬貨を取扱う各種機器に内蔵される。収納部とは、入金硬貨を受入れる一時保留部の他に入金された硬貨を収納する収納部も含まれる。
【００１７】
【発明の実施の形態】
この発明の一実施の形態を以下図面に基づいて詳述する。
図面はＡＴＭを示し、図１において、このＡＴＭ１１は装置本体の上部前面に、顧客に取引操作を表示案内するタッチパネル兼用のＣＲＴ１２と、通帳挿入口１３と、カード挿入口１４と、硬貨投入口１５と、紙幣投入口１６とを備えて、入金、出金、振込み、通帳記入、残高照会等の取引機能を有している。
【００１８】
図２はＡＴＭ１１の制御回路ブロック図を示し、メインＣＰＵ２１はＲＯＭ２２に格納されたプログラムに沿って各回路装置を制御し、その制御データをＲＡＭ２３で読出し可能に記憶する。
【００１９】
上述のＣＰＵ２１は、インターフェース２４を介してＣＲＴ１２、通帳処理部２５、カード処理部２６、硬貨処理部２７、紙幣処理部２８、明細票処理部２９、ジャーナル処理部３０、センタ通信処理部３１、遠隔監視装置通信処理部３２、係員パネル処理部３３を接続している。
【００２０】
このうち、ＣＲＴ１２は各種の取引表示案内と、その操作手順を表示し、また画面上に表示した表示部分と対応してタッチ入力許容するタッチ入力機能を有している。
【００２１】
通帳処理部２５は、通帳挿入口１３に挿入された通帳の取引データを読取り、また更新データを書込み処理し、通帳の印字欄には取引データや未記帳データの記帳処理を行ない。さらに、取引終了および取消し時に通帳を通帳挿入口１３に返却する。
【００２２】
カード処理部２６は、カード挿入口１４に挿入されたキャッシュカードの取引データを読取り、また更新データを書込み処理し、取引終了および取消し時にカードをカード挿入口１４に放出する。
【００２３】
硬貨処理部２７は、硬貨投入口１５に投入された硬貨を内部に取込んで受付け処理し、出金時および入金取消し時に硬貨を硬貨投入口１５より放出する。
紙幣処理部２８は、紙幣投入口１６に投入された紙幣を内部に取込んで受付け処理し、出金時および入金取消し時に紙幣を紙幣投入口１６より放出する。
明細票処理部２９は、入出金取引や残高照会等の各種の取引内容の取引データを記載した明細票を取引毎に発行する。
【００２４】
ジャーナル処理部３０は、明細票を発行する毎に同記録内容のジャーナル（控え伝票）を装置内部に保存し、またこのジャーナルには障害が発生した時の異常コードを合わせて記録する。
【００２５】
センタ通信処理部３１は、編集した入出金要求電文、記帳要求電文等をセンタ３４に送信し、このセンタ３４から送られてきた入出金回答、記帳データ等の自動取引データを受信処理する。
遠隔監視装置通信処理部３２は、ＡＴＭ１１の検出データを遠隔監視装置に送信し、遠隔監視装置から返信されてきた障害復旧データ等の応答データを受信処理する。
係員パネル処理部３３は、ＡＴＭ内部に備えられる係員パネルを取扱って障害復旧操作や保守点検等の係員操作を実行させる。
【００２６】
図３はＡＴＭ１１に内部構成される硬貨処理機４１を示し、この硬貨処理機４１は、接客パネル４２の一部に、顧客が硬貨４３を投入および取出し許容する硬貨投入口１５を有し、この硬貨投入口１５をシャッタ４４で開閉可能に覆い、この硬貨投入口１５の内部に硬貨を受入れ案内する凹形状の受皿４５を設け、この受皿４５の下方に個別分離用のディスク４６を内蔵したフィーダ４７を配設し、硬貨投入口１５に投入された硬貨を、このフィーダ４７を駆動して次段の入金識別部４８へと一枚ずつ導き、入金識別部４８に導かれた硬貨は、ここで真偽および金種が識別された後、これより個別搬送路４９を介して一方の一時保留部５０側と他方のスタッカ５１側とに分岐搬送される。
【００２７】
一時保留部５０側は、個別搬送路４９より導かれた硬貨を一時保留し、この保留硬貨の入金が確定すれば、一時保留部５０から一時保留ベルト５２を介して下方の回収カートリッジ５３に落下収容させて回収し、入金取消しの場合は保留された硬貨を返却ベルト５４面上に落下させて返却処理する。
【００２８】
スタッカ５１側は、個別搬送路４９に分岐接続した選別搬送路５５を介して接続し、個別搬送路４９上の硬貨を選別搬送路５５に取込み、これより一枚ずつ金種別に区画したスタッカ５１内に収納し、この収納した硬貨を金種別に下方より繰出して再利用可能に出金待機させている。そして、このスタッカ５１から硬貨を繰出す際は、指定された硬貨をスタッカ５１から金種別に落下放出し、その下方に対向する出金搬送ベルト５６および既述した返却ベルト５４を介して元の硬貨投入口１５へと搬送して出金処理する。
【００２９】
ところで、入金された複数枚の単一金種または混合金種の入金硬貨４３を入金識別部４８に導いて識別し、この識別結果に基づいてＣＰＵ２１は入金硬貨４３を一時保留部５０に一時保留するか、または保留制限するかを決定する受入れ制御機能を有している。
【００３０】
この受入れ制御機能は、入金識別部４８で入金硬貨４３を識別したとき、この識別した各金種毎の体積に相当する演算結果をＣＰＵ２１で求め、この演算結果から一時保留部５０に保留可能な収納許容枚数を算出し、この算出結果に基づいて入金硬貨４３に対する収納可否を判断するものである。
【００３１】
例えば、１円、５円、１０円、５０円、１００円、５００円玉の合計６金種の取扱い対象金種の場合、このうち最大体積の５００円玉の金種硬貨を基準に他金種の体積比率を設定し、これらの金種毎の体積比率を加算しながら一時保留部５０に対する一時保留限度枚数になるまで受入れ許容し、一時保留限度枚数に達したときに入金硬貨の一時保留を制限すればよい。
【００３２】
この場合、基準硬貨となる最大体積の５００円玉の体積比率を「１」に設定した場合、最小体積に相当する１円玉と５０円玉の体積比率は「０．６７」で求まり、それ以外の５円、１０円、１００円玉の体積比率は「０．８０」で求まる。
【００３３】
したがって、一時保留部５０での保留限度となる一時保留限度枚数が最大体積の５００円玉で１００枚に制限されているとき、他の体積比率が小さい１円玉や５０円玉の場合は、最大１５０枚まで一時保留することができる。また、体積比率がやや小さい５円、１０円、１００円玉の場合は、最大１２５枚を一時保留することができる。
【００３４】
また、一時保留部５０の保留限度となる保留体積と、各種硬貨の金種別体積が予め分かっているため、これらの体積を計算しながら受入れ管理するため、単一金種であっても混合金種であっても正確に保留許容枚数を算出して受入れることができる。
【００３５】
この結果、一時保留部５０の内部空間を最大限有効利用でき、保留限度に無駄がなくなる。このため、一時保留部５０は多数枚の硬貨を限界まで効率よく受入れることができる。さらに、既存の一時保留部５０の空間容量の変化状況をチェックするだけのため、既存の装置をそのまま有効利用できる。また、ＣＰＵ２１は入金された硬貨が入金識別部４８を通過する毎に一時保留部５０に対する保留可否を判断して１枚毎に正確に収納可否を判断できる。
【００３６】
このように、一時保留部５０の空間容量を最大限利用して受付け枚数が増加することから、商店での売上金のように数百枚といった多数枚の硬貨を入金するときに、その入金回数を減らすことができ、またこれに伴い取引時間を短縮して顧客の負担が削減する。
【００３７】
次に、硬貨処理機４１の硬貨処理動作を図４のフローチャートを参照して説明する。
今、硬貨投入口１５に商店での売上金のように数百枚といった多数枚の硬貨４３…が一括投入されると、この投入された多数枚の硬貨４３…は一旦、受皿４５に受止められ、これより個別分離用のフィーダ４７を介して硬貨４３を分離して１枚ずつ入金識別部４８に導く（ステップｎ1 ）。
【００３８】
この入金識別部４８に導かれた硬貨４３は、ここで真偽および金種が判定され（ステップｎ2 ）、
真硬貨と識別した場合は、さらにその硬貨に対する保留可否を判定すべくＣＰＵ２１が金種別硬貨の体積比率と、現時点の一時保留部５０の収納許容体積とから、その１枚の真硬貨が一時保留部５０に保留可能か否かを判断する（ステップｎ3 ）。
【００３９】
このとき、一時保留部５０に保留許容する余裕があって、保留可能と判定すれば（ステップｎ4 ）、
ＣＰＵ２１は入金された硬貨４３を後段の一時保留部５０に導いて保留する（ステップｎ5 ）。
【００４０】
このようにして、入金された硬貨４３…を収納限度枚数になるまで１枚ずつ受入れ許容し、全て受入れて計数完了した時点で、受皿４５に一括入金された多数枚の硬貨４３…の一入金取引が終了する（ステップｎ6 ）。
【００４１】
ところで、入金された硬貨４３…を識別したときに偽硬貨または識別不良硬貨と識別したときは、その入金に不適な硬貨を元の受皿４５に返却する。また、入金識別部４８で識別されたときに保留限度枚数を超える金種硬貨であると識別したときは、同様に超過分の硬貨を受皿４５に返却して待機させる。その後、一時保留部５０からスタッカ５１または回収カード５３への取込み処理を完了させて、一時保留部５０が空になった後に、再び受皿４５の硬貨を取込んで一時保留部５０への保留処理を行い、超過分の入金処理が完了するまでに実行する（ステップｎ7 ）。
【００４２】
上述のように、入金された硬貨を一時保留する一時保留部の内部空間が保留限度になるまで硬貨を保留許容できるため、一時保留部の内部空間を最大限有効利用して多数枚の硬貨を効率よく受入れることができる。ことに、一時保留部の収納体積と、各種硬貨の金種別体積とが予め分かっているため、これらの体積を計算しながら正確に収納許容枚数を算出できるため、一時保留部の体積変化値をチェックするだけで入金硬貨の保留可否を的確に判断することができる。
【００４３】
この発明と、上述の一実施の形態の構成との対応において、
この発明の収納部は、一実施の形態の一時保留部５０に対応し、
以下同様に、
判断手段は、ＣＰＵ２１に対応するも、この発明は請求項に示される技術思想に基づいて応用することができ、上述の一実施の形態の構成のみに限定されるものではない。
【００４４】
【発明の効果】
この発明によれば、収納部の空間が収納限度になるまで入金硬貨を収納許容できるため、収納部は多数枚の硬貨を限界まで効率よく受入れることができる。
【図面の簡単な説明】
【図１】この発明のＡＴＭの外観斜視図。
【図２】この発明のＡＴＭの制御回路ブロック図。
【図３】この発明の硬貨処理機の内部構成図。
【図４】この発明の硬貨処理機の入金処理動作を示すフローチャート。
【図５】従来の硬貨処理機の硬貨処理動作を示すフローチャート。
【符号の説明】
１１…ＡＴＭ
１５…硬貨投入口
２１…ＣＰＵ
２７…硬貨処理部
４１…硬貨処理機
４３…硬  貨
４５…受  皿
４８…入金識別部
５０…一時保留部